(57)【要約】【課題】イオン発生器の着脱を容易に行えるようにして、イオン発生器の長寿命化を容易に図れるようにした浴室換気乾燥暖房機を提供する。【解決手段】浴室換気乾燥暖房機１Ａは、空気の流れを生成する循環換気ファン２Ａと、本体部３Ａの下面に取り付けられ、吸込口グリル４０Ａを有すると共に第１の吹出口グリル４１Ａ及び第２の吹出口グリル４２Ａを有したフロントパネル４Ａと、循環換気ファン２Ａで生成される空気の流れに供給されるイオンを発生させるイオン発生器１０と、イオン発生器１０が取り付けられる取付部２０１Ａとを備え、フロントパネル４Ａの一部を開閉することで、イオン発生器１０を取付部２０１Ａに対して着脱させるカバー部４０１Ａをフロントパネル４Ａに備える。【選択図】    図１
2018173252.tif 000002
【特許請求の範囲】
【請求項１】
空気の流れを生成する送風手段、前記送風手段で吸い込まれる空気が通る吸込口及び前記送風手段で吹き出される空気が通る吹出口を有した本体部と、
前記本体部の前記吸込口及び前記吹出口を有した面に設けられ、前記吸込口と連通する吸込口グリルを有すると共に、前記吹出口と連通する吹出口グリルを有したパネル部材と、
前記送風手段で生成される空気の流れに供給される機能因子を発生させる機能因子発生部と、
前記機能因子発生部が取り付けられる取付部とを備え、
前記機能因子発生部を前記取付部に対して着脱させる着脱手段を前記パネル部材に備えた
ことを特徴とする送風装置。
【請求項２】
前記着脱手段は、前記取付部の位置に対向して前記パネル部材の一部を開閉する開閉部材を備えた
ことを特徴とする請求項１に記載の送風装置。
【請求項３】
前記開閉部材の回転動作で作動し、前記開閉部材が前記機能因子発生部の着脱が可能な開状態となると、電源を遮断する遮断手段を備えた
ことを特徴とする請求項２に記載の送風装置。
【請求項４】
前記取付部は、前記本体部に前記機能因子発生部を着脱可能に固定する
ことを特徴とする請求項１〜請求項３の何れか１項に記載の送風装置。
【請求項５】
前記取付部は、前記パネル部材に前記機能因子発生部を着脱可能に固定する
ことを特徴とする請求項１〜請求項３の何れか１項に記載の送風装置。
【請求項６】
空気の流れを生成する送風手段、前記送風手段で吸い込まれる空気が通る吸込口及び前記送風手段で吹き出される空気が通る吹出口を有した本体部と、
前記本体部に設けられ、前記送風手段で吹き出される空気の風路を切り替える可動部材と、
前記送風手段で生成される空気の流れに供給される機能因子を発生させる機能因子発生部とを備え、
前記可動部材に、前記機能因子発生部の清掃手段を備えると共に、
前記機能因子発生部を、前記可動部材の移動による前記清掃手段の移動経路に備えた
ことを特徴とする送風装置。
【請求項７】
前記機能因子発生部は、前記機能因子発生部を非駆動とする運転モードで前記可動部材が移動する位置に設置される
ことを特徴とする請求項６に記載の送風装置。
【発明の詳細な説明】
【技術分野】
【０００１】
本発明は、浴室等に設置され、室温に応じた空気あるいは温風を室内に吹き出す送風装置に関する。
【背景技術】
【０００２】
従来から、浴室等の天井に設置され、温風あるいは室温に応じた空気を室内に吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機では、イオン等の機能因子の発生器を風路中に備え、機能因子を浴室に供給する技術が提案されている（例えば、特許文献１参照）。また、針状の放電電極を有したイオン発生器では、電極の腐食を抑制するため、イオンの発生量を減少させる技術が提案されている（例えば、特許文献２参照）。更に、イオン発生器を装置本体に対して再脱着可能とする掛止機構を備える技術が提案されている（例えば、特許文献３参照）。
【先行技術文献】
【特許文献】
【０００４】
【特許文献１】特許第５６４０８９１号公報
【特許文献２】特開２０１３−２４３０９９号公報
【特許文献３】特許第４１１４６０２号公報
【発明の概要】
【発明が解決しようとする課題】
【０００５】
イオン発生器の長寿命化を図るため、イオンの発生量を減少させると、イオンの作用による所期の性能を発揮することができない。また、イオン発生器の掛止機構を備えても、パネル部材等を装置本体から外す必要があり、イオン発生器の脱着作業が容易に行えず、イオン発生器の長寿命化を容易に図ることはできない。
【０００６】
本発明は、このような課題を解決するためになされたもので、機能因子発生部の長寿命化を容易に図ることができるようにした送風装置を提供することを目的とする。
【課題を解決するための手段】
【０００７】
上述した課題を解決するため、本発明は、空気の流れを生成する送風手段、送風手段で吸い込まれる空気が通る吸込口及び送風手段で吹き出される空気が通る吹出口を有した本体部と、本体部の吸込口及び吹出口を有した面に設けられ、吸込口と連通する吸込口グリルを有すると共に、吹出口と連通する吹出口グリルを有したパネル部材と、送風手段で生成される空気の流れに供給される機能因子を発生させる機能因子発生部と、機能因子発生部が取り付けられる取付部とを備え、機能因子発生部を取付部に対して着脱させる着脱手段をパネル部材に備えた送風装置である。
【０００８】
本発明では、設置場所に本体部が設置されると、パネル部材が設置場所に露出する。設置場所に露出するパネル部材に設けた着脱手段の操作で、機能因子発生部の着脱が可能となる。
【０００９】
また、本発明は、空気の流れを生成する送風手段、送風手段で吸い込まれる空気が通る吸込口及び送風手段で吹き出される空気が通る吹出口を有した本体部と、本体部に設けられ、送風手段で吹き出される空気の風路を切り替える可動部材と、送風手段で生成される空気の流れに供給される機能因子を発生させる機能因子発生部とを備え、可動部材に、機能因子発生部の清掃手段を備えると共に、機能因子発生部を、可動部材の移動による清掃手段の移動経路に備えた送風装置である。
【００１０】
本発明では、風路を切り替える動作、または、機能因子発生部を動作で可動部材を作動させると、清掃手段が機能因子発生部に接し、機能因子発生部が清掃される。
【発明の効果】
【００１１】
本発明によれば、本体部を設置場所から外すことなく、機能因子発生部の着脱が可能であり、機能因子発生部の交換を容易に行える。また、本発明によれば、本体部を設置場所から外すことなく、機能因子発生部の清掃が可能である。これにより、機能因子発生部の長寿命化が可能となる。また、機能因子発生部の長寿命化が可能となることで、機能因子発生部の出力を低下させる必要がなく、機能因子の作用による所期の性能を発揮することができる。
【図面の簡単な説明】
【００１２】
【図１】第１の実施の形態の浴室換気乾燥暖房機の一例を示す構成図である。
【図２】第１の実施の形態の浴室換気乾燥暖房機の一例を示す構成図である。
【図３】第１の実施の形態の浴室換気乾燥暖房機の一例を示す構成図である。
【図４】第１の実施の形態の浴室換気乾燥暖房機の設置例を示す構成図である。
【図５】第１の実施の形態の浴室換気乾燥暖房機の制御機能の一例を示すブロック図である。
【図６】第１の実施の形態の浴室換気乾燥暖房機における風路切替ダンパの動作を示す説明図である。
【図７】第１の実施の形態の浴室換気乾燥暖房機における風路切替ダンパの動作を示す説明図である。
【図８】第１の実施の形態の浴室換気乾燥暖房機における風路切替ダンパの動作を示す説明図である。
【図９】第１の実施の形態の浴室換気乾燥暖房機における浴室内の空気の流れを示す説明図である。
【図１０】イオン発生器を交換する動作を示す動作説明図である。
【図１１】イオン発生器を交換する動作を示す動作説明図である。
【図１２】イオン発生器の設置場所の他の例を示す浴室換気乾燥暖房機の構成図である。
【図１３】イオン発生器の設置場所の他の例を示す浴室換気乾燥暖房機の構成図である。
【図１４】イオン発生器の設置場所の他の例を示す浴室換気乾燥暖房機の構成図である。
【図１５】第２の実施の形態の浴室換気乾燥暖房機の一例を示す構成図である。
【発明を実施するための形態】
【００１３】
以下、図面を参照して、本発明の送風装置としての浴室換気乾燥暖房機の実施の形態について説明する。
【００１４】
＜第１の実施の形態の浴室換気乾燥暖房機の構成例＞
図１〜図３は、第１の実施の形態の浴室換気乾燥暖房機の一例を示す構成図で、図１は、浴室換気乾燥暖房機の内部構成を示す側面図、図２は、下面側から見た平面図である。また、図３はフロントパネルを取り付けた状態の平面図である。更に、図４は、第１の実施の形態の浴室換気乾燥暖房機の設置例を示す構成図である。
【００１５】
第１の実施の形態の浴室換気乾燥暖房機１Ａの概要を説明すると、浴室換気乾燥暖房機１Ａは、循環換気ファン２Ａを有した本体部３Ａが、フロントパネル４Ａを露出させた形態で、設置場所である浴室１００の天井に取り付けられる。浴室換気乾燥暖房機１Ａは、フロントパネル４Ａが取り付けられる側が下側となる。
【００１６】
浴室換気乾燥暖房機１Ａは、空気を吸い込んで吹き出す循環換気ファン２Ａと、循環換気ファン２Ａで空気が吸い込まれる循環換気吸込口２０Ａと、ヒータ５が駆動されることで温風、ヒータ５が非駆動で浴室１００内の室温に応じた空気が吹き出される第１の吹出口２１Ａと、浴室１００内の空気を攪拌する空気が吹き出される第２の吹出口２２Ａを備える。
【００１７】
また、浴室換気乾燥暖房機１Ａは、循環換気ファン２Ａで循環換気吸込口２０Ａから吸い込んだ空気を室外に排気する換気吹出口２３Ａを備える。更に、浴室換気乾燥暖房機１Ａは、第１の吹出口２１Ａ及び第２の吹出口２２Ａと、換気吹出口２３Ａとの間で風路を切り替える風路切替ダンパ６Ａを備える。
【００１８】
第１の実施の形態の浴室換気乾燥暖房機１Ａは、室内に吹き出される空気中に放出する機能因子を発生させる機能因子発生部の性能を維持する性能維持手段として、機能因子発生部の交換が容易な着脱手段を備える。
【００１９】
以下に、浴室換気乾燥暖房機１Ａの詳細について説明すると、循環換気ファン２Ａは遠心ファンで構成される送風手段の一例で、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、羽根車２５Ａの内側から外周側へと遠心方向に吹き出される空気の流れを発生させる。
【００２０】
循環換気ファン２Ａは、循環換気ファンケース２７Ａの下面に、空気が吸い込まれる循環換気吸込口２０Ａを備える。循環換気吸込口２０Ａは、羽根車２５Ａの回転軸に沿った下方に、ベルマウスと称される円形の開口を設けて構成される。循環換気ファンケース２７Ａはケース部の一例で、羽根車２５Ａの外周に沿った略円形の部位と、羽根車２５Ａの接線方向に沿った部位の間に舌部２７Ａ１が形成される形状である。循環換気ファンケース２７Ａは、羽根車２５Ａの遠心方向に吹き出される空気を整流して、羽根車２５Ａの接線方向に沿って吹き出される空気の流れを発生させる。
【００２１】
循環換気ファン２Ａは、浴室換気乾燥暖房機１Ａが浴室１００の天井に設置された状態で、羽根車２５Ａの回転軸の向きが上下方向に沿った配置で構成される。
【００２２】
これにより、循環換気ファン２Ａは、羽根車２５Ａの回転軸に沿った下方の循環換気吸込口２０Ａから吸い込んだ空気を、羽根車２５Ａの接線方向に吹き出す吹出風路２８Ａが、循環換気ファンケース２７Ａにより形成される。
【００２３】
循環換気ファン２Ａは、循環換気ファンケース２７Ａの下面に、ヒータ５を駆動することで加熱された空気、あるいは、ヒータ５を非駆動とすることで浴室１００内の温度に応じた空気が吹き出される第１の吹出口２１Ａを備える。
【００２４】
また、循環換気ファン２Ａは、循環換気ファンケース２７Ａの下面に、浴室１００内を攪拌する空気が吹き出される第２の吹出口２２Ａを備える。更に、循環換気ファン２Ａは、循環換気ファンケース２７Ａの側面に、室外へ空気が吹き出される換気吹出口２３Ａを備える。
【００２５】
第１の吹出口２１Ａは、循環換気ファンケース２７Ａによる空気の吹出方向に沿った辺を短辺とした長方形の開口を、吹出風路２８Ａの下面に設けて構成される。第２の吹出口２２Ａは、循環換気ファンケース２７Ａによる空気の吹出方向に沿った辺を短辺とした長方形の開口を、吹出風路２８Ａの下面において、第１の吹出口２１Ａに対して循環換気吸込口２０Ａの反対側に設けて構成される。
【００２６】
循環換気ファンケース２７Ａで構成される吹出風路２８Ａは、第１の吹出口２１Ａ及び第２の吹出口２２Ａが設けられる部位で広げられ、換気吹出口２３Ａが設けられる部位で狭められる。第１の吹出口２１Ａと第２の吹出口２２Ａは、循環換気ファンケース２７Ａによる空気の吹出方向に沿った辺に対して交差する長辺が、本体部３Ａの幅方向の長さに合わせられる。
【００２７】
第１の吹出口２１Ａと第２の吹出口２２Ａは、循環換気ファンケース２７Ａの下面に設けられた風路形成枠体５０Ａで構成される。第１の吹出口２１Ａと第２の吹出口２２Ａは、風路形成枠体５０Ａの内側に設けられる仕切り部材５１Ａにより仕切られ、第１の吹出口２１Ａから吹き出される空気が通る循環空気吹出風路と、第２の吹出口２２Ａから吹き出される空気が通る攪拌空気吹出風路が形成される。
【００２８】
風路切替ダンパ６Ａは風路開閉手段の一例で、図示しないダンパモータの駆動力が伝達され、軸６０Ａを支点に回転して、第１の吹出口２１Ａ及び第２の吹出口２２Ａと、換気吹出口２３Ａとの開閉動作を行う。
【００２９】
風路切替ダンパ６Ａは、仕切り部材５１Ａで構成される第１の吹出口２１Ａと第２の吹出口２２Ａとの分岐部５２Ａより、空気の流れる方向に対して上流側に、分岐部５２Ａから所定の距離を開けて回転による開閉動作の軸６０Ａが設けられる。
【００３０】
風路切替ダンパ６Ａは、空気の流れる方向に対して軸６０Ａより上流側の部位が、軸６０Ａを支点とした回転動作で、第１の吹出口２１Ａと換気吹出口２３Ａとを開閉する方向へ変位する。また、風路切替ダンパ６Ａは、空気の流れる方向に対して軸６０Ａより下流側の部位が、軸６０Ａを支点とした回転動作で、第２の吹出口２２Ａを開閉する方向へ変位する。
【００３１】
これにより、風路切替ダンパ６Ａは、空気の流れる方向に対して軸６０Ａから上流側に延在する部位で、主に第１の吹出口２１Ａと換気吹出口２３Ａとの間で風路を切り替えると共に、換気吹出口２３Ａの開度を切り替える主風路切替部６１Ａが構成される。また、風路切替ダンパ６Ａは、空気の流れる方向に対して軸６０Ａから下流側に延在する部位で、主に第２の吹出口２２Ａを開閉すると共に、内側の面で、風路切替ダンパ６Ａの開度に応じて第１の吹出口２１Ａへの風路、第１の吹出口２１Ａ及び第２の吹出口２２Ａへの風路が形成され、外側の面で、換気吹出口２３Ａへの風路が形成される副風路切替部６２Ａが構成される。更に、風路切替ダンパ６Ａは、副風路切替部６２Ａの先端側に、軸６０Ａを支点とした回転動作の方向に沿って延在し、換気吹出口２３Ａに対して第２の吹出口２２Ａを塞ぐ逆流防止部６３Ａが設けられる。
【００３２】
浴室換気乾燥暖房機１Ａでは、風路切替ダンパ６Ａの位置を、第１の位置である図１に実線で示す循環位置とすると、空気の流れる方向に対して軸６０Ａより上流側の主風路切替部６１Ａは、風路切替ダンパ６Ａの一方の端部となる主風路切替部６１Ａの先端が、循環換気ファンケース２７Ａの上側の内面に接する。
【００３３】
また、空気の流れる方向に対して軸６０Ａより下流側の副風路切替部６２Ａは、風路切替ダンパ６Ａの他方の端部となる副風路切替部６２Ａの先端が、分岐部５２Ａと接する。更に、逆流防止部６３Ａは、換気吹出口２３Ａに対して第２の吹出口２２Ａを塞ぐ。これにより、第１の吹出口２１Ａが開き、第２の吹出口２２Ａと換気吹出口２３Ａが閉じられて、循環換気吸込口２０Ａから第１の吹出口２１Ａへ連通した循環風路が形成される。
【００３４】
浴室換気乾燥暖房機１Ａでは、風路切替ダンパ６Ａの位置を、循環位置から軸６０Ａを支点に回転させて、第２の位置である図１に破線で示す循環換気位置とすると、軸６０Ａより上流側の主風路切替部６１Ａが下方向へ移動し、風路切替ダンパ６Ａの一端が吹出風路２８Ａの中間付近に位置する。
【００３５】
また、軸６０Ａより下流側の副風路切替部６２Ａが、分岐部５２Ａから離れる上方向に移動する。これにより、第１の吹出口２１Ａ及び第２の吹出口２２Ａと、換気吹出口２３Ａの双方が開き、循環風路と、循環換気吸込口２０Ａから換気吹出口２３Ａへ連通した換気風路の双方が形成される。
【００３６】
浴室換気乾燥暖房機１Ａでは、風路切替ダンパ６Ａの位置を、循環換気位置から軸６０Ａを支点に回転させて、第３の位置である図１に一点鎖線で示す換気位置とすると、軸６０Ａより上流側の主風路切替部６１Ａが下方向へ移動し、風路切替ダンパ６Ａの一端が循環換気ファンケース２７Ａの下側の内面に接する。また、軸６０Ａより下流側の副風路切替部６２Ａが上方向へ移動し、風路切替ダンパ６Ａの他端が換気吹出口２３Ａの下側で循環換気ファンケース２７Ａの内面に接する。これにより、換気吹出口２３Ａが開き、第１の吹出口２１Ａ及び第２の吹出口２２Ａが閉じられて換気風路が形成される。
【００３７】
これにより、浴室換気乾燥暖房機１Ａでは、１つの循環換気ファン２Ａで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。
【００３８】
また、浴室換気乾燥暖房機１Ａでは、１つの風路切替ダンパ６Ａで、第１の吹出口２１Ａ及び第２の吹出口２２Ａと、換気吹出口２３Ａの開閉動作が行われる。
【００３９】
ヒータ５は加熱手段の一例で、本例ではＰＴＣヒータで構成され、第１の吹出口２１Ａから吹き出された空気が通る循環空気吹出風路に設けられる。ヒータ５が駆動されて通電されると、ヒータ５が加熱されることで第１の吹出口２１Ａを通る空気が加熱され、第１の吹出口２１Ａから温風が吹き出される。
【００４０】
第１の吹出口２１Ａと第２の吹出口２２Ａは、仕切り部材５１Ａにより仕切られており、第２の吹出口２２Ａから吹き出される空気は、ヒータ５を通過しない。なお、本例では、加熱手段として電気により駆動されるヒータ５を例に説明したが、温水による熱交換器等のヒータでも良い。
【００４１】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。
【００４２】
本体シャーシ３０Ａは、金属ケース３１Ａから露出した下面に下カバー３３Ａが取り付けられる。循環換気ファン２Ａは、循環換気吸込口２０Ａと、第１の吹出口２１Ａ及び第２の吹出口２２Ａが下カバー３３Ａに設けられ、下カバー３３Ａに風路形成枠体５０Ａが取り付けられる。
【００４３】
金属ケース３１Ａは、循環換気ファン２Ａの換気吹出口２３Ａに対向して開口が設けられ、換気吹出口２３Ａと連通した排気ダクトジョイント３４Ａが側面に取り付けられる。
【００４４】
浴室換気乾燥暖房機１Ａは、本体部３Ａの下面にフロントパネル４Ａが取り付けられる。フロントパネル４Ａはパネル部材の一例で、循環換気ファン２Ａの循環換気吸込口２０Ａに対向した下面を開口して吸込口グリル４０Ａが形成される。
【００４５】
また、フロントパネル４Ａは、循環換気ファン２Ａの第１の吹出口２１Ａに対向した下面を開口して第１の吹出口グリル４１Ａが形成されると共に、第２の吹出口２２Ａに対向した下面を開口して第２の吹出口グリル４２Ａが形成される。
【００４６】
第１の吹出口グリル４１Ａは、本体部３Ａの一の辺に沿った方向である短手方向に沿った長さを長くした長方形の開口で構成される。また、第２の吹出口グリル４２Ａは、第１の吹出口グリル４１Ａと同様に、本体部３Ａの一の辺に沿った方向である短手方向に沿った長さを長くした長方形の開口で構成される。
【００４７】
第１の吹出口グリル４１Ａは、長手方向に沿って空気が吹き出されるように、整流板が設けられる。第２の吹出口グリル４２Ａは、第１の吹出口グリル４１Ａと並列する短手方向に沿って、第１の吹出口グリル４１Ａと反対側である本体部３Ａの外側に向けて空気が吹き出されるように、整流板４３Ａが設けられる。なお、フロントパネル４Ａは、本体部３Ａと独立した部材であっても良いし、本体部３Ａと一体の部材であっても良い。フロントパネル４Ａと本体部３Ａとが一体とは、フロントパネル４Ａが本体部３Ａを構成する循環換気ファンケース２７Ａと一体、本体シャーシ３０Ａと一体等の形態を含む。
【００４８】
浴室換気乾燥暖房機１Ａは、機能因子発生部としてイオン発生器１０を備える。イオン発生器１０は、機能因子としてイオンを生成、放出し、菌を除去する。このため、イオンは、空気を清浄する空気清浄因子として主に機能し、イオン発生器１０は、イオンを生成、放出する空気清浄因子発生部として機能する。
【００４９】
イオン発生器１０は、正イオンと負イオンの両方あるいは少なくとも正イオンまたは負イオンのどちらか一方を発生する。正イオンと負イオンの発生の原理は、コロナ放電により空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５０】
これらＨ+（Ｈ2Ｏ）m及びＯ2-（Ｈ2Ｏ）nは、菌の表面に付着し、化学反応して活性種であるＨ2Ｏ2または・ＯＨを生成する。Ｈ2Ｏ2または・ＯＨは、極めて強力な活性を示すため、これらにより、菌を取り囲んで除去することができる。ここで、・ＯＨは活性種の１種であり、ラジカルのＯＨを示している。
【００５１】
これにより、浴室換気乾燥暖房機１Ａで循環換気ファン２Ａの運転と連動させて略同数の正イオンと負イオンを発生させ、略同数の正イオンと負イオンを含む空気を送風することで、循環する空気に含まれる浮遊細菌と浴室１００の空気中の浮遊細菌の双方を除去して、カビの発生等を抑えることができる。また、浴室１００に付着した菌を除去して、カビの発生等を抑えることができる。更に、衣類に付着した菌を除去して、臭気の発生を抑えることができる。
【００５２】
なお、イオン発生器１０によるイオンの発生は、正イオンのみや負イオンのみでも良く、コロナ放電ではなく、他の方法でも良い。更に、循環する空気に含まれる浮遊細菌と浴室の空気中の浮遊細菌の双方を除去する空気清浄因子として、イオンではなく、オゾン等、他の空気清浄因子であっても良い。また、空気清浄因子発生部は、銀イオンや、脱臭及び除菌を行う薬剤や、保湿効果を促す薬剤等を噴霧させる噴霧手段等を用いても良く、空気中の浮遊細菌や衣類等に付着した細菌の増殖を抑制するものや、細菌を除去するもの、また、保湿効果を持った機能因子を放出するようなもの等、空気に特定の機能を付与する空気処理手段であれば、如何なる形態のものであっても良い。
【００５３】
イオン発生器１０は、コロナ放電を行う電極針と、この電極針を覆う図示しないカバーを有してイオンの放出部１０Ａが構成される。イオン発生器１０は、本体部３Ａから容易に着脱が可能な位置に設置される。
【００５４】
次に、イオン発生器１０の設置場所について説明する。イオン発生器１０は、循環換気ファンケース２７Ａの下面側の所定の位置に設置される。図１及び図２に示す例では、第２の吹出口２２Ａから吹き出される空気にイオンを供給するため、イオン発生器１０は、イオンの放出部１０Ａを第２の吹出口２２Ａ内に露出させて、循環換気ファンケース２７Ａの下面側に設置される。
【００５５】
このため、浴室換気乾燥暖房機１Ａは、循環換気ファンケース２７Ａの下面に、第２の吹出口２２Ａと隣接して、イオン発生器１０の取付部２０１Ａを備える。または、第２の吹出口グリル４２Ａと隣接して、フロントパネル４Ａにイオン発生器１０の取付部２０１Ａを備える。
【００５６】
取付部２０１Ａは、イオン発生器１０を所定の位置に固定する固定部２０２Ａを備える。固定部２０２Ａは、凹凸形状の組み合わせ、ネジ等の締結部材により、イオン発生器１０を循環換気ファンケース２７Ａまたはフロントパネル４Ａに着脱可能に固定する。
【００５７】
フロントパネル４Ａは、取付部２０１Ａと対向する位置を開閉するカバー部４０１Ａを備える。カバー部４０１Ａは着脱手段を構成する開閉部材の一例で、本例では軸４０２Ａを支点とした回転動作でフロントパネル４Ａの一部を開閉する。
【００５８】
カバー部４０１Ａを開状態とすることで、イオン発生器１０が取付部２０１Ａに対して着脱可能となる。また、取付部２０１Ａにイオン発生器１０を装着し、カバー部４０１Ａを閉状態とすることで、イオン発生器１０が取付部２０１Ａに固定される。
【００５９】
なお、本例では、イオン発生器１０を本体部３Ａ側に固定する構成でも、フロントパネル４Ａ側に固定する構成でも良い。また、カバー部４０１Ａはフロントパネル４Ａに設ける構成としたが、循環換気ファンケース２７Ａに設ける構成としても良い。
【００６０】
浴室換気乾燥暖房機１Ａは、取付部２０１Ａに遮断スイッチ２０３Ａを備える。遮断スイッチ２０３Ａは遮断手段の一例で、カバー部４０１Ａの開閉動作で作動する。カバー部４０１Ａが閉状態であると、浴室換気乾燥暖房機１Ａが電源に接続されている場合、電源が供給される状態を維持する。これに対し、遮断スイッチ２０３Ａは、カバー部４０１Ａが開状態となると、浴室換気乾燥暖房機１Ａが電源に接続されている場合、電源の供給を遮断する。
【００６１】
遮断スイッチ２０３Ａは、例えば、磁気センサでカバー部４０１Ａの有無を検知する。または、光学センサでカバー部４０１Ａの有無を検知する。あるいは、マイクロスイッチ等の機械的なスイッチでカバー部４０１Ａの有無を検知する。
【００６２】
＜第１の実施の形態の浴室換気乾燥暖房機の設置例＞
次に、各図を参照して、第１の実施の形態の浴室換気乾燥暖房機１Ａの設置例について説明する。
【００６３】
浴室換気乾燥暖房機１Ａは、図４に示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで天井裏に設けられた補強部材に固定される形態で、天井パネル１０１に取り付けられる。
【００６４】
そして、浴室換気乾燥暖房機１Ａは、本体部３Ａの下面にフロントパネル４Ａが取り付けられ、フロントパネル４Ａの吸込口グリル４０Ａと、第１の吹出口グリル４１Ａ及び第２の吹出口グリル４２Ａが、浴室１００内に面して配置される。
【００６５】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００６６】
浴室１００は、浴槽１０３と洗い場１０４を備える。浴槽１０３は一般的に長方形であり、浴槽１０３と洗い場１０４は、浴槽１０３の短手方向に沿って並んでいる。
【００６７】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００６８】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００６９】
浴室換気乾燥暖房機１Ａは、第１の吹出口グリル４１Ａ及び第２の吹出口グリル４２Ａの長手方向の向きが、ランドリパイプ１０５の長手方向に対して直交する向きで、浴槽１０３の上部に設置される。
【００７０】
これにより、浴室換気乾燥暖房機１Ａでは、第１の吹出口グリル４１Ａから吹き出される空気は、主にランドリパイプ１０５と直交する方向に広がる。これに対して、第２の吹出口グリル４２Ａから吹き出される空気は、第２の吹出口グリル４２Ａが設けられる側の浴室１００の壁面１０６ａに向けられる。
【００７１】
＜第１の実施の形態の浴室換気乾燥暖房機の制御機能例＞
図５は、第１の実施の形態の浴室換気乾燥暖房機の制御機能の一例を示すブロック図である。浴室換気乾燥暖房機１Ａは、ＣＰＵやメモリ等で構成される制御部８１Ａに、図１等で説明した循環換気ファンモータ２６Ａと、風路切替ダンパ６Ａを駆動するダンパモータ６５Ａと、ヒータ５と、イオン発生器１０と、遮断スイッチ２０３Ａと、操作部８２等が接続される。
【００７２】
制御部８１Ａは制御手段の一例で、図示しないメモリ等に格納されたプログラムよって例えば乾燥運転モード、循環換気運転モード、暖房運転モード及び換気運転モード等を実行する。
【００７３】
これら運転モードは、入浴者等の利用者が操作部８２を操作すること等により選択される。操作部８２は操作手段の一例で、例えば浴室換気乾燥暖房機１Ａの本体と独立したリモートコントロール装置で、浴室１００に隣接する洗面脱衣所の壁面等に取り付けられる。
【００７４】
制御部８１Ａは、操作部８２で選択された運転モードを実行するプログラムに基づき、循環換気ファンモータ２６Ａを駆動して、循環換気ファン２Ａのファン回転数を制御する。また、ヒータ５を駆動してヒータ５の出力を制御する。更に、ダンパモータ６５Ａを制御して風路切替ダンパ６Ａの開度を制御する。また、イオン発生器１０を駆動して、イオンの発生の有無、発生量を制御する。
【００７５】
浴室換気乾燥暖房機１Ａでは、循環換気ファン２Ａのファン回転数を制御することで、第１の吹出口２１Ａから吹き出される空気の風量が制御される。また、ヒータ５の出力を制御することで、第１の吹出口２１Ａから吹き出される空気の温度が制御される。更に、風路切替ダンパ６Ａの開度を制御することで、空気が吹き出される風路、各風路における風量が制御される。
【００７６】
浴室換気乾燥暖房機１Ａでは、操作部８２での操作等に基づく運転モード選択情報を取得する。浴室換気乾燥暖房機１Ａ循環換気ファンケースでは、取得した運転モード選択情報に基づき、第１の吹出口２１Ａから吹き出される空気の風量、第１の吹出口２１Ａから吹き出される空気の温度、イオンの放出の有無、イオンの放出量等、浴室換気乾燥暖房機１Ａの出力が制御される。
【００７７】
制御部８１Ａは、イオン発生器１０を駆動した時間を計時し、イオン発生器１０を駆動した時間の累積値から、イオン発生器１０の交換時期を判断する。制御部８１Ａは、イオン発生器１０の交換時期となったと判断すると、操作部８２等で通知する。
【００７８】
＜第１の実施の形態の浴室換気乾燥暖房機の動作例＞
図６〜図８は、第１の実施の形態の浴室換気乾燥暖房機における風路切替ダンパの動作を示す説明図、図９は、第１の実施の形態の浴室換気乾燥暖房機における浴室内の空気の流れを示す説明図で、次に、各図を参照して、第１の実施の形態の浴室換気乾燥暖房機１Ａの動作例について説明する。
【００７９】
制御部８１Ａは、乾燥運転モードでは、風路切替ダンパ６Ａを図７に示す循環換気位置にし、循環換気ファンモータ２６Ａを駆動して羽根車２５Ａを回転させると共に、ヒータ５に通電する。
【００８０】
浴室換気乾燥暖房機１Ａでは、羽根車２５Ａが回転すると、フロントパネル４Ａの吸込口グリル４０Ａから、浴室１００内の空気が循環換気吸込口２０Ａに吸い込まれる。
【００８１】
乾燥運転モードでは、風路切替ダンパ６Ａが循環換気位置にあるので、吹出風路２８Ａでは、循環換気吸込口２０Ａから第１の吹出口２１Ａ及び第２の吹出口２２Ａへ連通した循環風路と、循環換気吸込口２０Ａから換気吹出口２３Ａへ連通した換気風路の双方が形成されている。
【００８２】
これにより、羽根車２５Ａが回転することで循環換気吸込口２０Ａから吸い込まれた浴室１００の空気ＲＡの一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【００８３】
乾燥運転モードでは、第１の吹出口２１Ａに流れる空気は、ヒータ５によって加熱されることで、フロントパネル４Ａの第１の吹出口グリル４１Ａから温風ＨＡが吹き出される。第２の吹出口２２Ａに流れる空気は、ヒータ５を通らないので、フロントパネル４Ａの第２の吹出口グリル４２Ａから、室温に応じた空気Ａが吹き出される。
【００８４】
浴室換気乾燥暖房機１Ａでは、第１の吹出口グリル４１Ａから吹き出される空気は、ランドリパイプ１０５の長手方向及びランドリパイプ１０５と直交する方向に広がる。
【００８５】
但し、浴室換気乾燥暖房機１Ａは、第１の吹出口グリル４１Ａの長手方向がランドリパイプ１０５と直交する向きに配置されるので、第１の吹出口グリル４１Ａから吹き出される空気は、主にランドリパイプ１０５に直交する方向に広がる。
【００８６】
このため、第１の吹出口グリル４１Ａの直下近傍のランドリパイプ１０５に掛けられた衣類等の被乾燥物に対しては、幅方向の全体に温風が当てられる。これに対して、第１の吹出口グリル４１Ａの直下から離れた位置のランドリパイプ１０５に掛けられた被乾燥物に対しては、第１の吹出口グリル４１Ａから吹き出される温風が直接は当たりにくい。
【００８７】
浴室換気乾燥暖房機１Ａでは、第２の吹出口グリル４２Ａから吹き出される空気Ａは、整流板４３Ａにより、第１の吹出口グリル４１Ａに対して第２の吹出口グリル４２Ａが設けられる側の浴室１００の壁面１０６ａに向けられる。
【００８８】
これにより、図９（ａ）に示すように、乾燥モードで第２の吹出口グリル４２Ａから吹き出される空気Ａは、浴室１００の一方の壁面１０６ａに当てられ、矢印Ａ１に示すように壁面１０６ａに沿って下方に流れる。壁面１０６ａに沿って下方に流れる空気は、矢印Ａ２に示すように、浴室１００の下層付近を、主に他方の壁面１０６ｂに向かって流れる。
【００８９】
浴室換気乾燥暖房機１Ａでは、吸込口グリル４０Ａから吸い込まれる空気ＲＡによって、浴室１００内で空気を循環させる流れを生じさせているので、浴室１００の下層付近を他方の壁面１０６ｂに向かって流れる空気は、矢印Ａ３に示すように壁面１０６ｂに沿って上方に流れ、吸込口グリル４０Ａから吸い込まれる。
【００９０】
このように、浴室換気乾燥暖房機１Ａでは、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【００９１】
乾燥運転モードで浴室換気乾燥暖房機１Ａの第１の吹出口グリル４１Ａから吹き出される空気は、ヒータ５で加熱された温風で、相対湿度が下げられているので、第２の吹出口グリル４２Ａから吹き出される空気に比べ軽い。
【００９２】
このため、第１の吹出口グリル４１Ａから吹き出される空気に比べ重い第２の吹出口グリル４２Ａから吹き出される空気は、浴室１００の下層まで流れ、浴室１００内の全体に、空気を攪拌する風の流れを生じさせることができる。
【００９３】
これにより、第１の吹出口グリル４１Ａから吹き出される温風が、直接は当たりにくい第１の吹出口グリル４１Ａの直下から離れた位置のランドリパイプ１０５に掛けられた被乾燥物付近にも、空気の流れを生じさせることができる。
【００９４】
乾燥運転モードでは、イオン発生器１０を駆動すると、イオンを含む非加熱の空気が第２の吹出口グリル４２Ａから吹き出される。第２の吹出口グリル４２Ａから吹き出される空気は、浴室１００の下層まで流れ、浴室１００内の全体に、イオンを含む空気を攪拌する風の流れを生じさせることができる。
【００９５】
これにより、ランドリパイプ１０５に掛けられた衣類を乾燥させながら、イオンを含む空気をランドリパイプ１０５に掛けられた複数の衣類全体に当たるようにして、衣類に付着している菌の増殖を抑制して、脱臭効果を得ることができる。
【００９６】
制御部８１Ａは、循環換気運転モードでは、風路切替ダンパ６Ａを図７に示す循環換気位置にし、ヒータ５を非駆動として、循環換気ファンモータ２６Ａを駆動して羽根車２５Ａを回転させる。ここで、上述した乾燥運転モードと循環換気運転モードでは、循環換気運転モードの方が、屋外へ排気される風量である換気風量が多くなるように、風路切替ダンパ６Ａの開度を換気吹出口２３Ａの開度が広くなる位置に変更しても良い。
【００９７】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９８】
循環換気運転モードでは、風路切替ダンパ６Ａが循環換気位置にあるので、循環換気吸込口２０Ａから吸い込まれた浴室１００の空気の一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、屋外へ排気される。
【００９９】
循環換気運転モードでは、第１の吹出口２１Ａに流れる空気は、ヒータ５が非駆動であるので、フロントパネル４Ａの第１の吹出口グリル４１Ａから、室温に応じた空気ＣＡが吹き出される。第２の吹出口２２Ａに流れる空気は、ヒータ５を通らないので、フロントパネル４Ａの第２の吹出口グリル４２Ａから、室温に応じた空気Ａが吹き出される。
【０１００】
浴室換気乾燥暖房機１Ａでは、図９（ｂ）に示すように、循環換気運転モードでも、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１０１】
これにより、循環換気運転モードでも、浴室１００内の全体に、空気を攪拌する風の流れを生じさせることができ、浴室１００内で、第１の吹出口グリル４１Ａから吹き出される空気が直接は当たりにくいような場所でも、空気の流れを生じさせることができる。
【０１０２】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【０１０３】
循環換気運転モードでも、イオン発生器１０を駆動すると、イオンを含む非加熱の空気が第２の吹出口グリル４２Ａから吹き出される。第２の吹出口グリル４２Ａから吹き出される空気は、浴室１００の下層まで流れ、浴室１００内の全体に、イオンを含む空気を攪拌する風の流れを生じさせることができる。
【０１０４】
これにより、イオンを含む空気を浴室１００の天井、壁面、床面全体に当たるようにして、菌の増殖を抑制し、カビの発生を抑制することができる。
【０１０５】
浴室換気乾燥暖房機１Ａで実行される他の運転モードとしては、暖房運転モードでは、風路切替ダンパ６Ａを図６に示す循環位置にして、ヒータ５に通電すると共に、循環換気ファンモータ２６Ａを駆動して羽根車２５Ａを回転させる。
【０１０６】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１０７】
暖房運転モードでは、風路切替ダンパ６Ａが循環位置にあるので、循環換気吸込口２０Ａから吸い込まれた浴室１００の空気の略全量が、第１の吹出口２１Ａへと流れる。暖房運転モードでは、第１の吹出口２１Ａに流れる空気は、ヒータ５によって加熱されることで、フロントパネル４Ａの第１の吹出口グリル４１Ａから温風が吹き出される。
【０１０８】
暖房運転モードでは、風路切替ダンパ６Ａが循環位置にあるので、浴室１００内の空気は換気されない。これにより、暖房運転モードでは、第１の吹出口グリル４１Ａから温風を吹き出しながら、浴室１００内の空気が循環されることで、浴室１００内の温度を入浴に適した温度に上昇させることができる。
【０１０９】
また、風路切替ダンパ６Ａが循環位置にあると、換気吹出口２３Ａに加えて第２の吹出口２２Ａが塞がれるので、ヒータ５を通らない空気が吹き出されない。これにより、入浴中に実行される暖房運転モードであっても、ヒータ５で暖められていない空気が吹き出されることがなく、入浴者が寒さを感じることが無い。
【０１１０】
更に、風路切替ダンパ６Ａが循環位置にあると、換気吹出口２３Ａに対して第２の吹出口２２Ａが逆流防止部６３Ａで塞がれるので、外気が浴室１００内に逆流することを防ぐことができる。
【０１１１】
換気運転モードでは、風路切替ダンパ６Ａを図８に示す換気位置にし、ヒータ５を非駆動として、循環換気ファンモータ２６Ａを駆動して羽根車２５Ａを回転させる。
【０１１２】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１１３】
換気運転モードでは、風路切替ダンパ６Ａが換気位置にあるので、第１の吹出口２１Ａと第２の吹出口２２Ａが塞がれ、循環換気吸込口２０Ａから吸い込まれた浴室１００の空気の略全量が換気吹出口２３Ａへと流れ、屋外へ排気される。従って、換気運転モードでは、浴室１００内の湯気や湿気を排出して結露等を抑制し、カビの発生を抑えることができる。
【０１１４】
図１０〜図１１は、イオン発生器を交換する動作を示す動作説明図である。イオン発生器１０は、イオンを発生させる動作で電極が消耗する。そこで、所定のタイミングでイオン発生器１０の交換を行う。例えば、制御部８１Ａは、イオン発生器１０を駆動した時間を計時し、イオン発生器１０を駆動した時間の累積値から、イオン発生器１０の交換時期を判断する。制御部８１Ａは、イオン発生器１０の交換時期となったと判断すると、操作部８２等で通知する。
【０１１５】
図１０に矢印Ｃ１で示すようにカバー部４０１Ａを開けると、イオン発生器１０がフロントパネル４Ａから露出し、イオン発生器１０の着脱が可能な状態となる。カバー部４０１Ａを備えることで、フロントパネル４Ａ全体を本体部３Ａから外すことなく、イオン発生器１０の着脱が可能となる。
【０１１６】
また、カバー部４０１Ａを開けると、遮断スイッチ２０３Ａにより電源が遮断される。これにより、イオン発生器１０が露出した状態で、イオン発生器１０が駆動されることが防止される。
【０１１７】
カバー部４０１Ａを開け、固定部２０２Ａを操作することで、イオン発生器１０を取付部２０１Ａから取り外すことが可能な状態となる。なお、イオン発生器１０には電気が供給されるため、本体部３Ａ側と電気的に接続されている。そこで、着脱可能なコネクタ等を利用して、イオン発生器１０と本体部３Ａ側の電気的な接続の有無が切り替えられる。
【０１１８】
カバー部４０１Ａを開け、固定部２０２Ａを操作して、使用されたイオン発生器１０を図１１に矢印Ｄ１に示すように取付部２０１Ａから取り外すと共に、イオン発生器１０と本体部３Ａ側との電気的な接続を切り離す。
【０１１９】
使用されたイオン発生器１０が取り外された取付部２０１Ａに、図１１に矢印Ｄ２に示すように新しいイオン発生器１０を取り付け、固定部２０２Ａで取付部２０１Ａに固定すると共に、イオン発生器１０と本体部３Ａ側との電気的な接続を行う。ここで、カバー部４０１Ａが開いた状態では、遮断スイッチ２０３Ａにより電源が遮断されているので、イオン発生器１０と本体部３Ａ側との電気的な接続を行っても、イオン発生器１０には電気が流れない。
【０１２０】
そして、図１０に矢印Ｃ２で示すようにカバー部４０１Ａを閉じる。カバー部４０１Ａを閉じると、遮断スイッチ２０３Ａにより電源が供給された状態となり、浴室換気乾燥暖房機１Ａの運転が可能になる。
【０１２１】
以上説明したように、浴室換気乾燥暖房機１Ａを設置場所である浴室１００の天井から降ろすことなく、イオン発生器１０の交換が可能となる。イオン発生器１０の交換は、カバー部４０１Ａを開けることで行うことが可能で、フロントパネル４Ａを外す必要がない。更に、カバー部４０１Ａを開けることで、電源が遮断されるので、浴室換気乾燥暖房機１Ａに対する電源を遮断するための配電盤の操作を忘れても、イオン発生器１０が露出した状態では、イオン発生器１０には電気が流れない。
【０１２２】
これにより、簡単な操作でイオン発生器１０の交換が可能であり、イオン発生器１０の性能を長期間にわたり維持することができる。また、イオン発生器１０の性能を長期間にわたり維持することができるので、イオン発生器１０の出力を低下させる必要がなく、イオンの作用による所期の性能を発揮することができる。特に、空気中の浮遊細菌のみならず、浴室１００の壁等の付着した付着細菌の除去に効果を発揮させることができる。更に、常時イオンを発生させる運転モードの実行も可能となる。
【０１２３】
＜第１の実施の形態の浴室換気乾燥暖房機の変形例＞
図１２〜図１４は、イオン発生器の設置場所の他の例を示す浴室換気乾燥暖房機の構成図である。図１２に示す実施の形態では、第１の吹出口２１Ａから吹き出される空気にイオンを供給するため、イオン発生器１０は、イオンの放出部１０Ａを第１の吹出口２１Ａ内に露出させて、循環換気ファンケース２７Ａの下面側に設置される。
【０１２４】
このため、浴室換気乾燥暖房機１Ａは、循環換気ファンケース２７Ａの下面に、第１の吹出口２１Ａと隣接して、イオン発生器１０の取付部２０１Ｂを備える。取付部２０１Ｂは、イオン発生器１０を循環換気ファンケース２７Ａの下面の所定の位置に固定する固定部２０２Ｂを備える。固定部２０２Ｂは、凹凸形状の組み合わせ、ネジ等の締結部材により、イオン発生器１０を循環換気ファンケース２７Ａに着脱可能に固定する。
【０１２５】
フロントパネル４Ａは、取付部２０１Ｂと対向する位置を開閉するカバー部４０１Ｂを備える。カバー部４０１Ｂは着脱手段を構成する開閉部材の一例で、本例では軸４０２Ｂを支点とした回転動作でフロントパネル４Ａの一部を開閉する。
【０１２６】
カバー部４０１Ｂを開状態とすることで、イオン発生器１０が取付部２０１Ｂに対して着脱可能となる。また、取付部２０１Ｂにイオン発生器１０を装着し、カバー部４０１Ｂを閉状態とすることで、イオン発生器１０が取付部２０１Ｂに固定される。
【０１２７】
なお、本例では、イオン発生器１０を本体部３Ａ側に固定する構成としたが、フロントパネル４Ａ側に固定する構成としても良い。また、カバー部４０１Ｂはフロントパネル４Ａに設ける構成としたが、循環換気ファンケース２７Ａに設ける構成としても良い。
【０１２８】
浴室換気乾燥暖房機１Ａは、取付部２０１Ｂに遮断スイッチ２０３Ｂを備える。遮断スイッチ２０３Ｂは遮断手段の一例で、カバー部４０１Ｂの開閉動作で作動する。カバー部４０１Ｂが閉状態であると、浴室換気乾燥暖房機１Ａが電源に接続されている場合、電源が供給される状態を維持する。これに対し、遮断スイッチ２０３Ｂは、カバー部４０１Ｂが開状態となると、浴室換気乾燥暖房機１Ａが電源に接続されている場合、電源の供給を遮断する。
【０１２９】
図１３に示す実施の形態では、第１の吹出口２１Ａ及び第２の吹出口２２Ａから吹き出される空気にイオンを供給するため、イオン発生器１０は、イオンの放出部１０Ａを吹出風路２８Ａ内に露出させて、循環換気ファンケース２７Ａの下面に設置される。
【０１３０】
このため、浴室換気乾燥暖房機１Ａは、循環換気ファンケース２７Ａの下面に、第１の吹出口２１Ａと隣接して、イオン発生器１０の取付部２０１Ｃを備える。取付部２０１Ｃは、イオン発生器１０を循環換気ファンケース２７Ａの下面の所定の位置に固定する固定部２０２Ｃを備える。固定部２０２Ｃは、凹凸形状の組み合わせ、ネジ等の締結部材により、イオン発生器１０を循環換気ファンケース２７Ａに着脱可能に固定する。
【０１３１】
フロントパネル４Ａは、取付部２０１Ｃと対向する位置を開閉するカバー部４０１Ｂを備える。カバー部４０１Ｂは、本例では軸４０２Ｂを支点とした回転動作でフロントパネル４Ａの一部を開閉する。カバー部４０１Ｂを開状態とすることで、イオン発生器１０が取付部２０１Ｃに対して着脱可能となる。また、取付部２０１Ｃにイオン発生器１０を装着し、カバー部４０１Ｂを閉状態とすることで、イオン発生器１０が取付部２０１Ｃに固定される。
【０１３２】
浴室換気乾燥暖房機１Ａは、取付部２０１Ｃに遮断スイッチ２０３Ｂを備える。遮断スイッチ２０３Ｂは、カバー部４０１Ｂの開閉動作で作動する。カバー部４０１Ｂが閉状態であると、浴室換気乾燥暖房機１Ａが電源に接続されている場合、電源が供給される状態を維持する。これに対し、遮断スイッチ２０３Ｂは、カバー部４０１Ｂが開状態となると、浴室換気乾燥暖房機１Ａが電源に接続されている場合、電源の供給を遮断する。
【０１３３】
図１２、図１３に示す実施の形態では、カバー部４０１Ｂを開けると、イオン発生器１０がフロントパネル４Ａから露出し、イオン発生器１０の着脱が可能な状態となる。カバー部４０１Ｂを備えることで、フロントパネル４Ａ全体を本体部３Ａから外すことなく、イオン発生器１０の着脱が可能となる。
【０１３４】
また、カバー部４０１Ｂを開けると、遮断スイッチ２０３Ｂにより電源が遮断される。これにより、イオン発生器１０が露出した状態で、イオン発生器１０が駆動されることが防止される。
【０１３５】
図１２に示す実施の形態では、カバー部４０１Ｂを開け、固定部２０２Ｂを操作することで、イオン発生器１０を取付部２０１Ｂから取り外すことが可能な状態となる。カバー部４０１Ｂを開け、固定部２０２Ｂを操作して、使用されたイオン発生器１０を取付部２０１Ｂから取り外すと共に、イオン発生器１０と本体部３Ａ側との電気的な接続を切り離す。
【０１３６】
使用されたイオン発生器１０が取り外された取付部２０１Ｂに、新しいイオン発生器１０を取り付け、固定部２０２Ｂで取付部２０１Ｂに固定すると共に、イオン発生器１０と本体部３Ａ側との電気的な接続を行う。ここで、カバー部４０１Ｂが開いた状態では、遮断スイッチ２０３Ｂにより電源が遮断されているので、イオン発生器１０と本体部３Ａ側との電気的な接続を行っても、イオン発生器１０には電気が流れない。
【０１３７】
そして、カバー部４０１Ｂを閉じる。カバー部４０１Ｂを閉じると、遮断スイッチ２０３Ｂにより電源が供給された状態となり、浴室換気乾燥暖房機１Ａの運転が可能になる。
【０１３８】
図１３に示す実施の形態も同様に、カバー部４０１Ｂを開け、固定部２０２Ｃを操作することで、イオン発生器１０を取付部２０１Ｃから取り外すことが可能な状態となる。カバー部４０１Ｂを開け、固定部２０２Ｃを操作して、使用されたイオン発生器１０を取付部２０１Ｃから取り外すと共に、イオン発生器１０と本体部３Ａ側との電気的な接続を切り離す。
【０１３９】
使用されたイオン発生器１０が取り外された取付部２０１Ｃに、新しいイオン発生器１０を取り付け、固定部２０２Ｃで取付部２０１Ｃに固定すると共に、イオン発生器１０と本体部３Ａ側との電気的な接続を行う。
【０１４０】
そして、カバー部４０１Ｂを閉じる。カバー部４０１Ｂを閉じると、遮断スイッチ２０３Ｂにより電源が供給された状態となり、浴室換気乾燥暖房機１Ａの運転が可能になる。
【０１４１】
図１４に示す実施の形態では、循環換気吸込口２０Ａから吸い込まれる空気にイオンを供給するため、イオン発生器１０は、イオンの放出部１０Ａを循環換気吸込口２０Ａに向けて、循環換気ファンケース２７Ａの下面に設置される。
【０１４２】
このため、浴室換気乾燥暖房機１Ａは、循環換気ファンケース２７Ａの下面に、循環換気吸込口２０Ａと隣接して、イオン発生器１０の取付部２０１Ｄを備える。取付部２０１Ｄは、イオン発生器１０を循環換気ファンケース２７Ａの下面の所定の位置に固定する固定部２０２Ｄを備える。固定部２０２Ｄは、凹凸形状の組み合わせ、ネジ等の締結部材により、イオン発生器１０を循環換気ファンケース２７Ａに着脱可能に固定する。
【０１４３】
浴室換気乾燥暖房機１Ａは、取付部２０１Ｄに遮断スイッチ２０３Ｄを備える。遮断スイッチ２０３Ｄは遮断手段の一例で、フロントパネル４Ａの着脱動作で作動する。フロントパネル４Ａが本体部３Ａに取り付けられていると、浴室換気乾燥暖房機１Ａが電源に接続されている場合、電源が供給される状態を維持する。これに対し、遮断スイッチ２０３Ｂは、フロントパネル４Ａが本体部３Ａから外されると、浴室換気乾燥暖房機１Ａが電源に接続されている場合、電源の供給を遮断する。
【０１４４】
図１４に示す実施の形態では、フロントパネル４Ａが本体部３Ａから外されると、イオン発生器１０が露出し、イオン発生器１０の着脱が可能な状態となる。また、フロントパネル４Ａが本体部３Ａから外されると、遮断スイッチ２０３Ｄにより電源が遮断される。これにより、イオン発生器１０が露出した状態で、イオン発生器１０が駆動されることが防止される。
【０１４５】
フロントパネル４Ａを本体部３Ａから外し、固定部２０２Ｄを操作することで、イオン発生器１０を取付部２０１Ｄから取り外すことが可能な状態となる。固定部２０２Ｄを操作して、使用されたイオン発生器１０を取付部２０１Ｄから取り外すと共に、イオン発生器１０と本体部３Ａ側との電気的な接続を切り離す。
【０１４６】
使用されたイオン発生器１０が取り外された取付部２０１Ｄに、新しいイオン発生器１０を取り付け、固定部２０２Ｄで取付部２０１Ｄに固定すると共に、イオン発生器１０と本体部３Ａ側との電気的な接続を行う。ここで、フロントパネル４Ａが外された状態では、遮断スイッチ２０３Ｄにより電源が遮断されているので、イオン発生器１０と本体部３Ａ側との電気的な接続を行っても、イオン発生器１０には電気が流れない。
【０１４７】
そして、フロントパネル４Ａを本体部３Ａに取り付ける。フロントパネル４Ａを本体部３Ａに取り付けると、遮断スイッチ２０３Ｄにより電源が供給された状態となり、浴室換気乾燥暖房機１Ａの運転が可能になる。
【０１４８】
なお、循環換気吸込口２０Ａから吸い込まれる空気にイオンを供給することで、イオンは、羽根車２５Ａの除電を行う除電因子として主に機能し、イオン発生器１０は、イオンを生成、放出する除電因子発生部として機能する。
【０１４９】
浴室換気乾燥暖房機１Ａで循環換気ファン２Ａの運転と連動させてイオン発生器１０で略同数の正イオンと負イオンを発生させることで、正に帯電した空気中の成分、及び、羽根車２５Ａが正に帯電した場合は羽根車２５Ａが、負イオンで除電される。また、イオン発生器１０から正イオンを発生させることで、負に帯電した空気中の成分、及び、羽根車２５Ａが負に帯電した場合は羽根車２５Ａが、正イオンで除電される。
【０１５０】
＜第２の実施の形態の浴室換気乾燥暖房機の構成例＞
図１５は、第２の実施の形態の浴室換気乾燥暖房機の一例を示す構成図で、浴室換気乾燥暖房機の内部構成を示す側面図である、第２の実施の形態の浴室換気乾燥暖房機１Ｂは、室内に吹き出される空気中に放出する機能因子を発生させる機能因子発生部の性能を維持する性能維持手段として、機能因子発生部の清掃を行う清掃手段を備える。
【０１５１】
浴室換気乾燥暖房機１Ｂは、機能因子発生部としてイオン発生器１０を備える。イオン発生器１０は、機能因子としてイオンを生成、放出し、菌を除去する。このため、イオンは、空気を清浄する空気清浄因子として主に機能し、イオン発生器１０は、イオンを生成、放出する空気清浄因子発生部として機能する。
【０１５２】
浴室換気乾燥暖房機１Ｂは、風路切替ダンパ６Ａの動作でイオン発生器１０の清掃を行う。このため、風路切替ダンパ６Ａは、空気の流れる方向に対して軸６０Ａより上流側の主風路切替部６１Ａの先端にブラシ６０１を備える。ブラシ６０１は清掃手段の一例で、軸６０Ａを支点とした風路切替ダンパ６Ａの回転動作で、円弧の軌跡６０２を描いて変位する。
【０１５３】
浴室換気乾燥暖房機１Ｂは、第１の吹出口２１Ａ及び第２の吹出口２２Ａから吹き出される空気にイオンを供給するため、イオン発生器１０は、イオンの放出部１０Ａを吹出風路２８Ａ内に露出させて、循環換気ファンケース２７Ａに設置される。
【０１５４】
そして、イオン発生器１０の放出部１０Ａをブラシ６０１で清掃するため、イオン発生器１０は、軸６０Ａを支点とした風路切替ダンパ６Ａの回転動作によるブラシ６０１の軌跡６０２上に、イオンの放出部１０Ａが位置するように設置される。
【０１５５】
本例では、図１５に実線で示すように、風路切替ダンパ６Ａを換気位置に移動させる動作で、ブラシ６０１がイオン発生器１０の放出部１０Ａと接する位置である循環換気ファンケース２７Ａ内の下面にイオン発生器１０が設置される。
【０１５６】
＜第２の実施の形態の浴室換気乾燥暖房機の動作例＞
上述した換気運転モードを実行すると、風路切替ダンパ６Ａが換気位置に移動する動作で、ブラシ６０１がイオン発生器１０の放出部１０Ａと接する。これにより、イオン発生器１０の放出部１０Ａがブラシ６０１で清掃される。換気運転モードでは、イオン発生器１０は非駆動であるため、ブラシ６０１がイオン発生器１０の放出部１０Ａと接しても良い。
【０１５７】
なお、２４時間換気運転モードが実行されると、風路切替ダンパ６Ａが換気位置で停止しているので、ブラシ６０１によるイオン発生器１０の放出部１０Ａの清掃が十分に行えない。
【０１５８】
そこで、所定のタイミングでイオン発生器１０の清掃を行っても良い。例えば、制御部８１Ａは、イオン発生器１０を駆動した時間を計時し、イオン発生器１０を駆動した時間の累積値から、イオン発生器１０の清掃時期を判断する。制御部８１Ａは、イオン発生器１０の清掃時期となったと判断すると、操作部８２等で通知する。
【０１５９】
また、風路切替ダンパ６Ａを換気位置に移動させる清掃モードを有し、清掃時期となると、操作部８２での操作、または、自動的に清掃モードを実行する。これにより、イオン発生器１０を本体部３Ａから着脱することなく、イオン発生器１０の清掃が可能であり、イオン発生器１０の性能を長期間にわたり維持することができる。
【産業上の利用可能性】
【０１６０】
本発明は、浴室等の被乾燥物の乾燥を行う空間に設置される送風装置に適用される。
【符号の説明】
【０１６１】
１Ａ・・・浴室換気乾燥暖房機、１０・・・イオン発生器（機能因子発生部）、１０Ａ・・・放出部、２Ａ・・・循環換気ファン（送風手段）、２０Ａ・・・循環換気吸込口（吸込口）、２１Ａ・・・第１の吹出口（吹出口）、２２Ａ・・・第２の吹出口（吹出口）、２３Ａ・・・換気吹出口、２５Ａ・・・羽根車、２７Ａ・・・循環換気ファンケース、２０１Ａ・・・取付部、２０２Ａ・・・固定部、２０３Ａ・・・遮断スイッチ（遮断手段）、３Ａ・・・本体部、４Ａ・・・フロントパネル（パネル部材）、４０Ａ・・・吸込口グリル、４１Ａ・・・第１の吹出口グリル、４２Ａ・・・第２の吹出口グリル、４０１Ａ・・・カバー部（着脱手段、開閉部材）、４０２Ａ・・・軸、５・・・ヒータ、６Ａ・・・風路切替ダンパ、６０１・・・ブラシ（清掃手段）、１００・・・浴室
【図１】
2018173252.tif 000003
【図２】
2018173252.tif 000004
【図３】
2018173252.tif 000005
【図４】
2018173252.tif 000006
【図５】
2018173252.tif 000007
【図６】
2018173252.tif 000008
【図７】
2018173252.tif 000009
【図８】
2018173252.tif 000010
【図９】
2018173252.tif 000011
【図１０】
2018173252.tif 000012
【図１１】
2018173252.tif 000013
【図１２】
2018173252.tif 000014
【図１３】
2018173252.tif 000015
【図１４】
2018173252.tif 000016
【図１５】
2018173252.tif 000017